(57)【要約】【課題】  煩雑な設定をすることなくユーザが必要とする情報をスルー画上に重畳表示することができるカメラを提供する。【解決手段】  被写体を撮影する撮影部３２と、前記撮影部からの撮影信号に基づいてスルー画を表示する表示部２４と、自己位置を測定する自己位置測定部１０と、前記撮影部により撮影した画像データを記憶する記憶部４４と、前記記憶部に記憶された前記画像データに基づいて条件を抽出する条件抽出部８と、前記スルー画に前記条件を用いて絞り込まれた前記自己位置の周辺情報に基づく画像を重畳表示する表示制御部２２とを備える。【選択図】  図１
2012094955.tif 000002
【特許請求の範囲】
【請求項１】
被写体を撮影する撮影部と、
前記撮影部からの撮影信号に基づいてスルー画を表示する表示部と、
自己位置を測定する自己位置測定部と、
前記撮影部により撮影した画像データを記憶する記憶部と、
前記記憶部に記憶された前記画像データに基づいて条件を抽出する条件抽出部と、
前記スルー画に前記条件を用いて絞り込まれた前記自己位置の周辺情報に基づく画像を重畳表示する表示制御部と
を備えることを特徴とするカメラ。
【請求項２】
外部装置に対して前記自己位置及び前記条件を送信する送信部と、
前記外部装置から前記条件を用いて絞り込まれた前記自己位置の周辺情報を取得する受信部と
を備えることを特徴とする請求項１記載のカメラ。
【請求項３】
外部装置に対して前記自己位置を送信する送信部と、
前記外部装置から前記自己位置の周辺情報を取得する受信部と、
前記条件を用いて前記受信部において取得した前記周辺情報を絞り込む絞込部と、
を備えることを特徴とする請求項１記載のカメラ。
【請求項４】
前記条件抽出部は、前記画像データに関連付けられたメタ情報に基づいて前記条件を抽出することを特徴とする請求項１〜３の何れか一項に記載のカメラ。
【請求項５】
前記メタ情報は、オート分類再生モードにおける画像の種類、前記画像の撮影が行われた際に用いられたシーンモードの種類、前記画像の撮影が行われた時間帯、前記画像の撮影が行われた場所のうち少なくとも１つであることを特徴とする請求項４記載のカメラ。
【請求項６】
前記画像データを解析する解析部を備え、
前記条件抽出部は、前記解析部による前記画像データの解析結果を用いて前記条件を抽出することを特徴とする請求項１〜３の何れか一項に記載のカメラ。
【請求項７】
前記条件抽出部は、前記画像データの管理情報及び前記画像データに関連付けられたメタ情報に基づいて前記条件を抽出するために用いる前記画像を限定することを特徴とする請求項１〜６の何れか一項に記載のカメラ。
【請求項８】
前記メタ情報は、前記自己位置、現在の時刻、季節、前記画像データの再生回数のうち少なくとも１つであることを特徴とする請求項７記載のカメラ。
【請求項９】
前記解析部は、直近に再生された前記画像部の解析を行うことを特徴とする請求項６記載のカメラ。
【発明の詳細な説明】
【技術分野】
【０００１】
本発明は、周辺情報を取得してスルー画上に表示するカメラに関するものである。
【背景技術】
【０００２】
画角内に存在する情報送信装置から情報を受信し、受信した情報に基づいて駅、レストラン、喫茶店の名称や時刻表、営業時間、メニュー等の周辺情報をスルー画上に重畳表示するカメラが知られている（例えば、特許文献１参照）。
【先行技術文献】
【特許文献】
【０００３】
【特許文献１】特開２００７−２８６５６９号公報
【発明の概要】
【発明が解決しようとする課題】
【０００４】
しかし、このカメラにおいては、ユーザが必要とする情報をスルー画上に重畳表示させるためには、ジャンルの選択をしなければならず、ジャンル選択のために煩雑な設定が必要であった。
【０００５】
本発明の目的は、煩雑な設定をすることなくユーザが必要とする情報を重畳表示することができるカメラを提供することである。
【課題を解決するための手段】
【０００６】
本発明に係るカメラは、被写体を撮影する撮影部と、前記撮影部からの撮影信号に基づいてスルー画を表示する表示部と、自己位置を測定する自己位置測定部と、前記撮影部により撮影した画像データを記憶する記憶部と、前記記憶部に記憶された前記画像データに基づいて条件を抽出する条件抽出部と、前記スルー画に前記条件を用いて絞り込まれた前記自己位置の周辺情報に基づく画像を重畳表示する表示制御部とを備えることを特徴とする。
【発明の効果】
【０００７】
本発明によれば、煩雑な設定をすることなくユーザが必要とする情報を重畳表示することができるカメラを提供することできる。
【図面の簡単な説明】
【０００８】
【図１】本発明の実施の形態に係るカメラのシステム構成を示すブロック図である。
【図２】本発明の実施の形態に係るカメラの自己位置の取得及び周辺情報の取得を模式的に示す図である。
【図３】本発明の実施の形態に係るカメラのスルー画上への周辺情報を示す画像の重畳表示を示す図である。
【図４】本発明の実施の形態に係るカメラの周辺情報の選別処理を示すフローチャートである。
【図５】本発明の実施の形態に係るカメラの解析対象とする画像データを示す図である。
【図６】本発明の実施の形態に係るカメラのスルー画上への周辺情報を示す画像の重畳表示を示す図である。
【発明を実施するための形態】
【０００９】
以下、図面を参照して本発明の実施の形態に係るカメラついて説明する。図１は、実施の形態に係るカメラのシステム構成を示すブロック図である。カメラ２は、ＣＰＵ８を備え、ＣＰＵ８にはＧＰＳ衛星５６（図２参照）から受信した信号に基づいて自己位置を測定するＧＰＳ１０、自己位置を基準としたカメラ２の撮影方位を計測する方位センサ１４、水平面に対するカメラ２の傾斜角度を測定する傾斜角センサ１６、ＵＳＢ機器を接続するＵＳＢポート１８、レリーズ指示を行うレリーズボタン２０、スルー画や周辺情報を示す画像、メニュー画面等を表示するＬＣＤ表示部２４の表示制御を行う表示制御部２２、透明電極により構成されＬＣＤ表示部２４に表示された画面に対する入力操作を受け付けるタッチパネル２６、被写体からの光を撮像するＣＣＤ或いはＣＭＯＳ等により構成される撮像素子３２、撮像素子３２から出力された撮影信号に対して図示しないＡ／Ｄ変換部によりＡ／Ｄ変換を行い生成された画像データに対してホワイトバランス調整等の画像処理を行う画像処理部３６、ＧＰＳ１０により測定した自己位置情報や方位センサ１４により計測した方位情報を記憶する情報記憶部３８、フォルダ内にＥｘｉｆ等の所定のファイル形式で画像データを記憶するメモリカード４４、メモリカード４４に記憶された画像データが撮影された年月日、時刻、場所、シーンモード及び画像データの再生回数、再生日時をデータベース化して記憶するデータベース記憶部４５、撮像素子３２による撮影やＬＣＤ表示部２４における表示等を行うプログラムを格納するプログラムメモリ４６、Bluetooth、Ｗｉ−Ｆｉ、３Ｇ、ＬＴＥ等の通信方式によりインターネット等のネットワークを介してｗｅｂサーバ等の外部装置５８（図２参照）との間で自己位置の情報及びキーワードの送信、周辺情報の受信等を行う無線通信部４８、画像データの解析を行う画像解析部５０、画像データ等を記憶する内部メモリ５４が接続されている。
【００１０】
ここで、カメラ２はレリーズボタン２０を用いてレリーズ指示が行われると、撮像素子３２から出力された撮像信号に基づく画像データをメモリカード４４にＥｘｉｆ等の所定のファイル形式で記憶すると共に年月日、時刻、場所、オート分類再生モードにおける画像の種類、撮影時に使用されたシーンモードの種類等をファイルのタグ情報として記憶する。ここで、オート分類再生モードにおける画像の種類は、撮影時に画像データにおける被写体の特徴に応じて分類される画像の種類であり、画像の種類としては、笑顔、人物、料理、夜景、接写等が挙げられる。また、シーンモードは、ユーザが撮影前にタッチパネル２８を用いたメニュー操作により撮影シーンを選択することで撮影シーンに応じた撮影条件を設定することができる撮影モードであり、シーンモードの種類としては、ポートレート、夜景、夕焼け、パーティー、海・雪、ミュージアム、逆光等が挙げられる。
【００１１】
次に、図２を参照して実施の形態に係るカメラ２の周辺情報表示処理について説明する。タッチパネル２６を用いたメニュー操作により周辺情報を重畳表示する周辺情報表示モードが選択されると、ＣＰＵ８は表示制御部２２を制御して撮像素子３２から出力される撮影信号に基づいてＬＣＤ表示部２４にスルー画を表示する。また、ＧＰＳ１０はＧＰＳ衛星５６からの信号を解析し自己位置、現在時刻等の情報を取得する。なお、図２においてはＧＰＳ衛星５６を１基のみ示しているが、通常複数基のＧＰＳ衛星からの信号を解析することにより自己位置、現在時刻等の情報を取得する。
【００１２】
次に、ＣＰＵ８は、無線通信部４８を介してサーバ等の外部装置５８に対して自己位置を送信し、自己位置の周辺情報を外部装置５８から取得する。ＣＰＵ８は、表示制御部２２を制御して取得した周辺情報に基づく画像をＬＣＤ表示部２４に表示しているスルー画上に重畳表示する。なお、外部装置５８には、利用者が投稿した周辺情報等をその位置情報に対応付けて記憶する。
【００１３】
ここで、自己位置が有名な場所である場合や周辺情報の投稿が多い場合には取得できる周辺情報が多くなる。従って、図３に示すようにＬＣＤ表示部２４には周辺情報が多数重畳表示されることとなり、ユーザが必要とする周辺情報を探すのが困難となったり、ＣＰＵ８の処理速度が低下したりする虞がある。
【００１４】
そこで、本実施の形態に係るカメラ２においては図４のフローチャートに示すように周辺情報の選別処理を行う。例えば、カメラ２が自己位置を外部装置５８に送信する際にキーワード等の条件を付加して送信することにより、取得する周辺情報のデータの数を抑制する。
【００１５】
この場合には、タッチパネル２６を用いたメニュー操作により周辺情報表示モードが選択されると（ステップＳ１）、ＣＰＵ８は、ＬＣＤ表示部２４にスルー画を表示する（ステップＳ２）。このとき、ＣＰＵ８は、ＧＰＳ１０を制御してＧＰＳ衛星５６からの信号を解析することにより自己位置を取得する（ステップＳ３）。また、ＣＰＵ８は、画像解析部５０を制御してメモリカード４４に記憶されている画像データの解析を行うことによりキーワードの抽出を行う（ステップＳ４）。
【００１６】
ここで、画像データの解析は、メモリカード４４に記憶されている全ての画像データを解析対象として行ってもよいし、一部の画像データを解析対象として行ってもよい。ＣＰＵ８は、一部の画像データについて解析を行う場合には、データベース記憶部４５に記憶されているデータを参照して解析対象とする画像データの抽出を行う。例えば、ＧＰＳ１０により取得した自己位置に近い場所で撮影された画像データ、撮影時刻が現在の時刻に近い画像データ、撮影された季節が現在の季節と同じである画像データ、再生回数が所定回数以上の画像データ等を抽出し、ＣＰＵ８はこれらを解析対象の画像データとして画像解析部５０を制御して解析を行う。解析を行った結果、図５に示すように解析対象となる画像データの主要被写体として花が多い場合には「花」というキーワードを抽出する。
【００１７】
次に、ＣＰＵ８は、無線通信部４８を介して外部装置５８に対して自己位置及びキーワードを送信し（ステップＳ５）、外部装置５８からキーワードに対応した自己位置の周辺情報を無線通信部４８を介して取得する（ステップＳ６）。ＣＰＵ８は、周辺情報を取得すると、図６に示すように表示制御部２２を制御してＬＣＤ表示部２４に表示しているスルー画上に周辺情報に基づく画像を重畳表示する（ステップＳ７）。なお、図６は、図５に示すように「花」というキーワードを抽出した場合に取得した周辺情報をスルー画上に重畳表示した場合について示している。また、方位センサ１４により測定した方位及び傾斜角センサ１６により測定した傾斜角に基づいて、重畳表示を行う周辺情報を更に絞り込んでもよい。
【００１８】
本実施の形態に係るカメラによれば、煩雑な設定をすることなくユーザが必要とする情報をスルー画上に重畳表示することができる。
【００１９】
また、スルー画上に重畳表示する周辺情報を絞り込むことによりＣＰＵにかかる負荷を軽減することができる。また、ユーザが必要とする周辺情報を容易に認識することができる。
【００２０】
なお、上述の実施の形態においては、ＣＰＵ８は画像解析部５０を制御してメモリカード４４に記憶されている画像データの解析を行うことによりキーワードの抽出を行う構成としたが、画像データの解析を行わずにデータベース記憶部４５に記憶されたデータを用いてキーワードの抽出を行ってもよい。この場合には、分類された画像データの種類が一番多いオート分類再生モードにおける画像の種類、画像データの数が最も多いシーンモードの種類、昼や夕方・夜等撮影された画像データの数が最も多い時間帯、画像の撮影が行われた回数が所定数以上の場所・位置等に基づいてキーワードの抽出を行う。例えば、分類された画像データのオート分類モードにおける画像の種類として「料理」が最も多い場合には「料理」をキーワードとして抽出し、また、画像の撮影が行われた回数が多い場所として山が多い場合に「山」をキーワードとして抽出する。
【００２１】
また、画像データのホワイトバランスに基づいて判定を行ってもよい。即ち、露出が高い場合には風景画等、日中の屋外で撮影された画像データであると判定する。また、露出が低い場合には屋内であると判定する。さらに、屋内である場合で撮影距離が２ｍ以内等、所定距離以内に人物の顔が多く写っている場合には宴会で撮影された画像データであると判定し、このような画像データが多い場合には「飲食店」をキーワードとして抽出する。
【００２２】
また、上述の実施の形態においては、メモリカード４４に記憶されている画像データの解析を行う構成として説明したが、データベース記憶部４５に記憶された画像データの再生日時を参照して直近に再生された１枚の画像データを解析する構成としてもよい。また、ＬＣＤ表示部２４にメモリカード４４に記憶されている画像データのサムネイル表示を行い、ユーザにより選択された１枚以上の画像データの解析を行う構成としてもよい。
【００２３】
また、上述の実施の形態においては、外部装置５８に対して自己位置及びキーワードを送信する構成としたが、自己位置のみを送信してもよい。この場合には自己位置の周辺情報を取得した後に、メモリカード４４に記憶された画像データの解析を行うことによりキーワードを抽出し、抽出したキーワードに基づいて周辺情報を絞り込む。また、表示制御部２２は、絞りこんだ周辺情報を示す画像をスルー画上に重畳表示する。
【００２４】
また、上述の実施の形態においては、画像データの解析またはデータベースを用いてキーワードを抽出し周辺情報を選別する構成としたが、ズーム操作により周辺情報を絞り込む構成としてもよい。即ち、図３に示すようにスルー画上に重畳表示されている周辺情報が多い場合に、ＬＣＤ表示部２４に表示されるズーム操作を示す画像をユーザがタッチパネル２６を用いてテレ側にズームを操作を行った場合には、ＣＰＵ８は表示制御部２２を制御し、遠くに位置する周辺情報のみをスルー画上に重畳表示する。一方、ワイド側にズーム操作が行った場合には、ＣＰＵ８は表示制御部２２を制御し、近くに位置する周辺情報のみをスルー画上に重畳表示する。また、カメラ２がフォーカス環を備える場合には、フォーカス環の操作により上述の絞り込みを行ってもよい。
【００２５】
また、上述の実施の形態においてはメモリカード４４に画像データを記憶する構成としたが、カメラ２が備える内部メモリ５４に画像データを記憶する構成としてもよい。
【符号の説明】
【００２６】
２…カメラ、８…ＣＰＵ、１０…ＧＰＳ、２２…表示制御部、２４…ＬＣＤ表示部、３２…撮像素子、４４…メモリカード、４５…データベース記憶部、４８…無線通信部、５０…画像解析部
【図１】
2012094955.tif 000003
【図２】
2012094955.tif 000004
【図３】
2012094955.tif 000005
【図４】
2012094955.tif 000006
【図５】
2012094955.tif 000007
【図６】
2012094955.tif 000008